(57)【特許請求の範囲】
【請求項１】
浴槽に湯水を供給可能な給湯用熱交換器を有する給湯部と、循環路を介して浴槽と接続する風呂用熱交換器を有する風呂追焚き部とを備え、該風呂追焚き部で、浴槽中の水を該循環路に通してポンプで強制的に循環させ、該風呂用熱交換器で追焚き可能にした風呂給湯装置であって、該風呂給湯装置と浴槽とを所定の相対位置関係で設置するものにおいて、
前記風呂給湯装置の本体内であって、かつ、前記循環路または該循環路に通じる接続路に、浴槽中の水の水位を検出するための水位センサを配設し、
前記所定の相対位置関係にない場合は、浴槽に注湯し、前記ポンプを駆動することで、浴槽の循環口を水位が越えたことを前記循環路に設けた流水センサにより検出する浴槽湯水確認動作を行って、前記流水センサが流水を検知したとき、前記水位センサによる検出圧力を前記浴槽における基準水位として確定し、
前記所定の相対位置関係にある場合は、前記浴槽における基準水位とする前記水位センサによる検出値を、既に決定してある基準水位に基づき前記浴槽湯水確認動作を行うことなく確定可能であり、前記浴槽湯水確認動作により前記所定の相対位置関係にあるかどうかを確認することを特徴とする風呂給湯装置。
【請求項２】
浴槽に湯水を供給可能な給湯用熱交換器を有する給湯部と、循環路を介して浴槽と接続する風呂用熱交換器を有する風呂追焚き部とを備え、該風呂追焚き部で、浴槽中の水を該循環路に通してポンプで強制的に循環させ、該風呂用熱交換器で追焚き可能にした風呂給湯装置であって、該風呂給湯装置と浴槽とを所定の相対位置関係で設置するものにおいて、
前記風呂給湯装置の本体内であって、かつ、前記循環路または該循環路に通じる接続路に、浴槽中の水の水位を検出するための水位センサを配設し、
前記所定の相対位置関係にない場合は、浴槽に注湯し、前記ポンプを駆動することで、浴槽の循環口を水位が越えたことを前記循環路に設けた流水センサにより検出する浴槽湯水確認動作を行って、前記流水センサが流水を検知したとき、前記水位センサによる検出圧力を前記浴槽における基準水位として確定し、
前記所定の相対位置関係にある場合は、前記浴槽における基準水位とする前記水位センサによる検出値を、既に決定してある基準水位に基づき前記浴槽湯水確認動作を行うことなく確定可能であり、前記浴槽湯水確認動作により前記所定の相対位置関係にあるかどうかを確認し、
施工者による試運転時に、前記相対位置関係にあることを判定する判定部と、前記循環路または該循環路に通じる接続路が潰れたことを検出する検出部とを備えたことを特徴とする風呂給湯装置。
【発明の詳細な説明】
【０００１】
【発明の属する技術分野】
本発明は、浴槽に湯水を供給可能な給湯用熱交換器を有する給湯部と、循環路を介して浴槽と接続する風呂用熱交換器を有する風呂追焚き部とを装置本体内に備え、該風呂追焚き部で、浴槽中の水を該循環路に通してポンプで強制的に循環させ、該風呂用熱交換器で追焚き可能にした風呂給湯装置であって、該風呂給湯装置と浴槽とを所定の相対位置関係で設置するものに関する。
【０００２】
【従来の技術】
近来、この種の風呂給湯装置としては、装置と浴槽の循環口（吸排用口金）とに循環ホースが接続され、装置内のポンプにより浴槽の水または湯を循環ホースを通して、装置内へ吸引し、装置内の熱交換器で追い焚きし、追い焚きされた湯をポンプで浴槽へ吐出するものがある。浴槽の水位の検出は、浴槽の循環口に設けられた水位検出器で行われている。
一方、例えば、建物の外壁に開設された取付孔に風呂給湯装置を挿着して用いるホールインワン型といわれる壁貫通設置型のものが存在する。当該取付孔は従来のバランス型風呂釜の排気筒取付穴であった。このホールインワン型のものにおいては、浴槽が設置される建物の床面と外壁の取付孔との位置関係が対応していることから、床面に設置される浴槽の設置面の高さと、取付孔に挿着される本装置の取付高さとの相対的な位置が画一されている。
【０００３】
【発明が解決しようとする課題】
しかしながら、このような従来の技術では、装置と水位検出器を接続するためのコードを引き回しをする必要があり、またコードの断線に注意しなければならず、装置の施工作業が煩わしいものであった。
さらに、装置や浴槽の施工時に、不注意などから、循環ホースが浴槽の底部などで潰される場合がある。この場合、施工者、利用者立ち会いの下で、試運転がなされ、施工者が循環口まで注湯し（給湯の確認）、循環口までお湯が入ったら追焚し（追焚の確認）、利用者が工事の完了を確認する。
【０００４】
試運転時は循環ホースが潰れていても完全には潰れないので、循環水量は少ないが、追焚可能である。
施工完了後、浴槽に湯を満たし（試運転時に比して水量は多い）、かつ、利用者が入浴すると、その水量と利用者の体重とにより循環ホースが完全に潰れて、全く循環しなくなり、追焚不能になるという問題点があった。
【０００５】
また、一方、浴槽の循環口に水位検出器を設けず、水位検出器を装置内に設けた例もある。このような装置は、浴槽に対する装置の取付位置が、例えば下３ｍ上２ｍなどのように浴槽を設置する場所に対して自由に設置できるため、通称、設置フリー型と呼ばれている。この場合、浴槽と装置とを接続する循環ホースの長さも、設置する場所ごとに異なる。したがって、装置内の水位検出器から見た循環口の高さや装置、浴槽間の循環ホースの長さも異なることから、コントロールパネルで設定した水位まで装置が自動的に注湯しようとすると、循環口に達した際の水位をまず調べ、装置と浴槽循環口との取付高さ関係を記憶し、次にコントロールパネルで設定した浴槽水位を調べるために、浴槽循環口からの注水量と水位の関係を記憶する必要がある。
【０００６】
前記水圧Ｐと注水量Ｑを示すＰ−Ｑ線図を作成するのに必要な基準としての循環口水位の検出は次のように行われる。すなわち、浴槽に所定水量ずつ注水（注湯）するごとにポンプを回し、水位が循環口を越えたことを循環路中の例えば水流センサでチェックし、循環口を越えた水位を基準水圧として水位検出器にてＲＡＭ（ランダムアクセスメモリー）に一時記憶し、基準水圧からの注水量と水位との関係（Ｐ−Ｑ特性データ）を記憶することにより、例えばコントロールパネルにて設定した水位に注水可能になる（記憶モード）。このような基準水圧の割り出し作業は、浴槽交換に起因する循環口の高さの変化や停電などを考慮して、浴槽への注水作業の都度行われる（実行モード）。
しかしながら、このような基準水圧の検出は、前記注水作業ごとに行う必要があるので、注水作業に時間がかかり、使い勝手がよくないという問題点があった。
本発明は、このような従来の技術が有する問題点に着目してなされたもので、浴槽と装置との相対的な位置が画一されているものに適用し、装置の施工作業が簡単になり、試運転時の循環ホースの潰れに起因する異常を発見することができ、また、浴槽の水位を簡易に検出することができ、使い勝手の良い風呂給湯装置を提供することを目的としている。
【０００７】
【課題を解決するための手段】
かかる目的を達成するための本発明の要旨とするところは、次の各項の発明に存する。
［１］  浴槽（Ｂ）に湯水を供給可能な給湯用熱交換器（２５）を有する給湯部（２０）と、循環路（３６）を介して浴槽（Ｂ）と接続する風呂用熱交換器（３５）を有する風呂追焚き部（３０）とを備え、該風呂追焚き部（３０）で、浴槽（Ｂ）中の水を該循環路（３６）に通してポンプ（３８ｂ）で強制的に循環させ、該風呂用熱交換器（３５）で追焚き可能にした風呂給湯装置であって、該風呂給湯装置と浴槽（Ｂ）とを所定の相対位置関係で設置するものにおいて、
前記風呂給湯装置の本体内であって、かつ、前記循環路（３６）または該循環路（３６）に通じる接続路に、浴槽（Ｂ）中の水の水位を検出するための水位センサ（４０）を配設し、
前記所定の相対位置関係にない場合は、浴槽（Ｂ）に注湯し、前記ポンプ（３８ｂ）を駆動することで、浴槽（Ｂ）の循環口を水位が越えたことを前記循環路（３６）に設けた流水センサ（３９ｂ）により検出する浴槽湯水確認動作を行って、前記流水センサ（３９ｂ）が流水を検知したとき、前記水位センサ（４０）による検出圧力を前記浴槽（Ｂ）における基準水位として確定し、
前記所定の相対位置関係にある場合は、前記浴槽（Ｂ）における基準水位とする前記水位センサ（４０）による検出値を、既に決定してある基準水位に基づき前記浴槽湯水確認動作を行うことなく確定可能であり、前記浴槽湯水確認動作により前記所定の相対位置関係にあるかどうかを確認することを特徴とする風呂給湯装置。
【０００８】
［２］  浴槽（Ｂ）に湯水を供給可能な給湯用熱交換器（２５）を有する給湯部（２０）と、循環路（３６）を介して浴槽（Ｂ）と接続する風呂用熱交換器（３５）を有する風呂追焚き部（３０）とを備え、該風呂追焚き部（３０）で、浴槽（Ｂ）中の水を該循環路（３６）に通してポンプ（３８ｂ）で強制的に循環させ、該風呂用熱交換器（３５）で追焚き可能にした風呂給湯装置であって、該風呂給湯装置と浴槽（Ｂ）とを所定の相対位置関係で設置するものにおいて、
前記風呂給湯装置の本体内であって、かつ、前記循環路（３６）または該循環路（３６）に通じる接続路に、浴槽（Ｂ）中の水の水位を検出するための水位センサ（４０）を配設し、
前記所定の相対位置関係にない場合は、浴槽（Ｂ）に注湯し、前記ポンプ（３８ｂ）を駆動することで、浴槽（Ｂ）の循環口を水位が越えたことを前記循環路（３６）に設けた流水センサ（３９ｂ）により検出する浴槽湯水確認動作を行って、前記流水センサ（３９ｂ）が流水を検知したとき、前記水位センサ（４０）による検出圧力を前記浴槽（Ｂ）における基準水位として確定し、
前記所定の相対位置関係にある場合は、前記浴槽（Ｂ）における基準水位とする前記水位センサ（４０）による検出値を、既に決定してある基準水位に基づき前記浴槽湯水確認動作を行うことなく確定可能であり、前記浴槽湯水確認動作により前記所定の相対位置関係にあるかどうかを確認し、
施工者による試運転時に、前記相対位置関係にあることを判定する判定部と、前記循環路（３６）または該循環路（３６）に通じる接続路（５０）が潰れたことを検出する検出部（４０）とを備えたことを特徴とする風呂給湯装置。
【００１１】
前記発明は以下のように作用する。
本風呂給湯装置と浴槽（Ｂ）とが所定の相対位置関係で設置されている場合には、浴槽（Ｂ）を設置すべく建物の場所が変わっても、本風呂給湯装置と浴槽（Ｂ）との位置関係は不変であり、浴槽（Ｂ）の循環口と装置内の循環路（３６）とを接続する循環ホースの長さおよび循環ホースの内径が同一のものを使用することができる。
このように本風呂給湯装置と浴槽（Ｂ）とが所定の相対位置関係で設置されている場合には、装置本体内の循環路（３６）はその長さや口径が決まっていることから、装置本体内の水位センサ（４０）と浴槽（Ｂ）の各部位（例えば、循環口）の水位との関係が一義的に決まり、水位センサ（４０）の検出値と浴槽（Ｂ）の水位との相関関係を、浴槽（Ｂ）を設置する前に算出することができ、特に浴槽（Ｂ）における基準水位とする水位センサ（４０）による検出値を、既に決定してある基準水位に基づき浴槽湯水確認動作を行うことなく確定できる。また、前記浴槽湯水確認動作により前記所定の相対位置関係にあるかどうかを確認することができる。
前記基準水位とする検出値や前記相関関係を本装置の記憶部に記録しておけば、基準水位とする検出値と実際の検出値に基づき、浴槽（Ｂ）施工時の循環ホースの潰れに起因する圧力損出を検出することができ、施工者および利用者立ち会いによる試運転時に循環ホースの潰れ異常を発見することができる。異常が発見できれば、その時点で、浴槽（Ｂ）などを施工し直しすることができる。
一方、本風呂給湯装置と浴槽（Ｂ）とが所定の相対位置関係にない場合は、浴槽（Ｂ）に注湯し、ポンプ（３８ｂ）を駆動することで、浴槽（Ｂ）の循環口を水位が越えたことを前記循環路（３６）に設けた流水センサ（３９ｂ）により検出する浴槽湯水確認動作を行って、前記流水センサ（３９ｂ）が流水を検知したとき、前記水位センサ（４０）による検出圧力を前記浴槽（Ｂ）における基準水位として確定することになる。
【００１２】
また、水位センサ（４０）が装置本体内に配設されているので、例えば、浴槽（Ｂ）の循環口に水位センサ（４０）が装着され、水位センサ（４０）と装置本体とが離れて位置している場合に比して、水位検出器から装置本体へコードを引き回しをする必要がなく、またコードへの水漏れやコードの断線に注意する必要もなく、装置の施工作業が軽減される。
【００１５】
［２］項記載の風呂給湯装置では、
施工者による試運転時に、本風呂給湯装置と浴槽（Ｂ）とが所定の相対位置関係で設置されていることを判定する判定部と、前記循環路（３６）または該循環路（３６）に通じる接続路（５０）が潰れたことを検出する検出部（４０）とを備えているので、判定部が所定の相対位置関係にあることを判断すれば、従来のように循環口の位置を測らないで、即座に注湯を開始することができる。
また、判定部が所定の相対位置関係にあることを判断すれば、検出部、例えば水位センサ（４０）の検出値に基づき、循環路（３６）や接続路（５０）の圧力損失を検出することができ、それにより、循環路（３６）や接続路（５０）の潰れを発見することができる。
ここで、判定部は装置内の制御部を構成するＣＰＵであり、検出部は水位センサ（４０）である。検出部は水位センサに限らないことはいうまでもない。
【００１６】
【発明の実施の形態】
以下、図面に基づき本発明の一実施の形態を説明する。
図１〜図９は本発明の一実施の形態を示している。
図１は、本発明の一実施の形態に係る風呂給湯装置の概念図である。図２は、同じく、風呂給湯装置の装着状態を示す斜視図である。図３は、浴槽の設置場所を示す斜視図である。図４は、同じく浴槽の設置場所を示す断面図である。
【００１７】
図１および図２に示すように、風呂給湯装置１０は、給湯部２０に風呂追焚き部３０を並設して成る。給湯部２０は共用バーナ２１と該共用バーナ２１からの熱を給水に伝える給湯用の熱交換器２５とを備え、風呂追焚き部３０は、共用バーナ２１と共用バーナ２１からの熱を追い焚き用の風呂給水に伝える風呂用の熱交換器３５とを備えている。
給湯部２０の共用バーナ２１にはガス配管２２が接続され、ガス配管２２にはガス開閉弁２２ａが設けられている。給湯用の熱交換器２５には給水管２６が接続されている。湯水の供給用の熱交換器２５に並列にバイパス通路２７が設けられているが、仕様によっては設けられないものもある。
【００１８】
給湯用の熱交換器２５の後には給湯配管２８が接続されており、給湯配管２８は各所の使用位置に延ばされてその末端に水栓２９が設けられている。水栓２９は必要に応じて複数設けられるのが普通である。
風呂追焚き部３０は、共用バーナ２１が加熱する風呂用の熱交換器３５を経路中に含む循環路３６が浴槽Ｂとの間に配設されており、循環路３６は、熱交換器３５の出口側に接続する往管３７と追い焚き戻り管３８とを含んだ概念であり、交換器３５の出口側に接続する往管３７と追い焚き戻り管３８とにより浴槽Ｂと接続している。
【００１９】
追い焚き戻り管３８には、流水センサ３９ｂが装着されるとともに、ポンプ３８ｂが介装されている。追い焚き戻り管３８におけるポンプ３８ｂの下流側と、給湯配管２８とには注湯管３３が接続していて、注湯管３３には電磁開閉弁である注湯弁３３ａが介装されている。注湯管３３において、電磁開閉弁である注湯弁３３ａより追い焚き戻り管３８側に、浴槽Ｂの水位を検出するための圧力センサ（ダイヤフラム式や半導体式等）である水位センサ４０が設けられている。
追い焚き戻り管３８の始端の吸水口３８ａは浴槽Ｂの通常使用する湯水面より下の位置で浴槽Ｂに開口しており、往管３７の終端の吐出口３７ａも吸水口３８ａとほぼ同じ高さで浴槽Ｂに開口している。吸水口３８ａと吐出口３７ａとにより浴槽Ｂの循環口が構成されている。往管３７の終端側および追い焚き戻り管３８の始端側は循環ホース５０に接続されている。循環ホース５０と循環口間をむすび、施工時に浴槽Ｂに接続される。
【００２０】
風呂給湯装置１０の湯水の供給や風呂沸かしは、装置内の図示省略した制御部で制御される。制御部にはリモートコントローラ５５が接続されている。
湯水の供給や風呂沸かしは、次のように行われる。
図５は本発明の一実施の形態に係る風呂給湯装置において、風呂給湯装置と浴槽とが所定の相対位置関係にある場合の実行モードに係るフロー図である。図６は同じく風呂給湯装置の記憶モードに係るＰ−Ｑ特性データを示している。図７は同じく風呂給湯装置の概念図である。図８は、風呂給湯装置と浴槽とが所定の相対位置関係にない場合の実行モードのフロー図である。図９は、記憶モードに係るフロー図を示している。
【００２１】
すなわち、図９に示す記憶モードによって、Ｐ−Ｑ特性データが作られる。
まず、記憶モードでの動作時に、ステップＳ１０１で、リモートコントローラ５５等に設けられている自動スイッチをオンとすると、ステップＳ１０２で、図７に示すごとく、最初にａリットル（例えば４０リットル）の呼び水が浴槽Ｂに落とし込まれ、次に、ステップＳ１０３でポンプ３８ｂを短時間駆動させたときに、ステップＳ１０４で、流水センサ３９ｂがオフとなることを確認する。
【００２２】
次に、ステップＳ１０５で、あらかじめ定められた所定量の注湯、すなわち、ｂリットル（例えば１０リットル）の湯水を断続的に落とし込む動作が行われ、この単位水量の湯水が落とし込まれた後に、ステップＳ１０６で、ポンプ３８ｂの短時間の駆動が行われて、ステップＳ１０７で、流水センサ３９ｂがオンとなるか否かが判断される。なお、以下、この注湯と注湯後のポンプ３８ｂの起動による流水センサ３９ｂの信号検出動作を、浴槽湯水確認動作という。
【００２３】
そして、浴槽水位が循環口を越えた水位に達して、循環路３６の湯水循環の検出が最初に行われたときは、ステップＳ１０８で、このときの水位を圧力値ＰＡとして、水位センサ４０により検出する。動作制御部は、この検出水位値を循環路３６の浴槽Ｂへの接続部（循環口の位置）よりも少し上側の基準水位として決定し、その浴槽水量（最初に流水検出センサが流水を検出するまでに浴槽Ｂに注湯された積算流量）を浴槽の基準水量ＱＡとして決定する。
【００２４】
次に、ステップＳ１０９で、例えば図６に示すような湯張りの条件データ（Ｐ−Ｑ特性データ）を作成して動作制御部に記憶し、浴槽水位が設定水位に達するまで注湯を行う。そして、ステップＳ１１０での圧力検出によって水位を検出し、この水位が設定水位（図７に示すＬ４とした場合、圧力センサー出力＝固有値−４６６＋５１０［ｍｍＡｑ］）に達したことがステップＳ１１１で確認されたときは、ステップＳ１１２に進む。ステップＳ１１２では、注湯電磁弁２４が閉じられている状態でポンプ３８ｂ駆動させられて浴槽湯温検出が行われ、ステップＳ１１３で、あらかじめ、リモートコントローラ５５等により指定された設定温度に風呂温度が達すると判断されるまで、ステップＳ１１４による追焚動作を行い、風呂温度が設定温度になったときはステップＳ１１５で沸き上げブザーを鳴らす。
【００２５】
なお、前記Ｐ−Ｑ特性データを作成する方法としては、様々な方法が考えられているが、例えば、記憶モードでの断続的な浴槽への給湯を行う毎に湯張り開始時からのトータル給湯量Ｑを流量センサ１０の検出流量を積算することによって求め、その一方で、断続的な浴槽への給湯を行う毎に浴槽水位Ｐを水位センサ４０によって検出し、湯張り開始時からの各断続的給湯後のトータル給湯量Ｑとそれに対応する水位Ｐとのプロット点（座標点）を結ぶことによって求められる。そして、例えば、Ｃリットルの湯水の給湯を行って、このときの水位を圧力の値Ｐｓとして水位センサ４０により検出し、前記Ｃリットルを圧力差（Ｐｓ−ＰＡ）の値で割ることにより浴槽Ｂの開口面積Ｓを求め、この開口面積Ｓの値がメモリに記憶される。
【００２６】
また、このときの特性データから装置と浴槽との関係、つまり、所定の相対位置関係にあるかどうかが確認される。図７に示されるように、装置センターを「０」として、−４８６（浴槽設置面で−４６６または−４８６のうち小さい方）〜＋２０４（通常考えられる一番深い浴槽寸法６７０から４６６または４８６を引いたもので大きい方の値）の間に図６の浴槽水位ａが位置していれば、所定の相対位置で取り付けられていることが確認される。
そして、所定の相対位置関係にある場合には、図５に示される実行モードに基づいて制御される。このときのリモートコントローラに示されるＬ１〜Ｌ５の水位は浴槽設定面からの水位を示し、これに基づいて記憶モードで取り込んだＰ−Ｑ特性データから注湯量を割り出して浴槽に注湯する。図６は、記憶モードで作成されたＰ−Ｑ特性データを示している。なお、図７に示されるように、水位センサ４０は装置内の所定の位置にあるので、装置ごとの水位センサ４０の位置を固有値として装置センタを「０」と認識するようにしている。
【００２７】
図５〜図７は、記憶モードで作成されたＰ−Ｑ特性データに基づいて、浴槽に設定水位まで注湯する実行モードを示している。本実行モードでの注湯において、浴槽の水位は浴槽設置面を基準にして測られている。
また、所定の相対位置でない場合には、図８に示すフローチャートに基づいて、注湯される。このときのリモートコントローラで示されるＬ１〜Ｌ５の水位は循環金具（循環口）からの水位を示す。
【００２８】
図３および図４に示すように、浴槽Ｂの設定場所は、浴槽Ｂの足を床面Ｆの台座Ｆ１に置く場合には、その台座Ｆ１から外壁の取付孔Ｈの開口中心までの高さは、４６６ｍｍである。浴槽Ｂの足をユニットバスの床面に置く場合には、ユニットバスの床面から外壁の取付孔Ｈの開口中心までの高さは、４８６ｍｍである。この４８６ｍｍと４６６ｍｍとの差２０ｍｍは、浴槽の湯張りに際しては許容できる範囲内である。
【００２９】
取付孔Ｈに風呂給湯装置１０が挿着されたとき、装置内の水位センサ４０の高さ位置が一義的に決定される。したがって、水位センサ４０と浴槽Ｂの底面との高さの差も一義的に決められる。
また、浴槽Ｂの循環口と循環路３６とを接続する循環ホース５０は２ｍの長さのものが使用され、循環ホース５０の内径についても同じものが使用されている。したがって、ポンプ運転時の水位センサ４０が検出する圧力Ｐは、ポンプ停止時の圧力＋αとして、一義的に決められている。
【００３０】
次に本発明の一実施の形態の作用を説明する。
水位センサ４０が装置１０本体内に配設されているので、水位センサ４０から装置１０本体へ特別にコードを引き回しをする必要がなく、また、施工時のコードの断線に注意する必要もなくなる。
浴槽Ｂの施工が完了すると、利用者立ち会いの下で、装置の試運転が行われる。試運転においては、浴槽Ｂの循環口に達するまで水面を上げ、ポンプ３８ｂを作動して、強制循環させ、風呂用熱交換器３５で追い焚きが行われる。この強制循環の際に、循環ホース５０の潰れに起因する圧力損出が生じる。つまりポンプ停止時の圧力を基準としてポンプ運転時の圧力を停止時＋αとすると、循環水量が少なく、循環ホース５０の往路側が潰れていた場合には、水位センサ４０が検出する圧力Ｐ１が、予定する圧力に対して高くなり（αが所定のしきい値より大きい）、反対に、戻り路側が潰れていた場合には、予定する圧力に対して低くなる（αが所定のしきい値より小さい）ことから、圧力損出を検出することができる。
すなわち、施工者および利用者立ち会いによる試運転時に循環ホース５０の潰れ異常を発見することができる。異常が発見できれば、その時点で、浴槽などを施工し直しすることができる。
【００３１】
浴槽Ｂへの自動注湯を、図５、図８および図９に基づいて説明する。
図８のフローは、装置と浴槽とが所定の相対位置関係にない場合の実行モードを示している。
図８のステップＳ３０１で、実行モードでの自動スイッチがオンされると、ステップＳ３０２でポンプ３８ｂの駆動が行われ、ステップＳ３０３で流水センサ３９ｂがオフとなることが確認され、ステップＳ３０４に進む。ステップＳ３０４では、Ａリットルといった少量の注湯が行われ、ステップＳ３０５でのポンプ３８ｂの駆動とステップＳ３０６での追焚流水スイッチのオフ確認が順次行われ、流水センサ３９ｂがオフのときにはステップＳ３０７に進む。なお、ステップＳ３０３で、流水センサ３９ｂがオンとなったときおよび、ステップＳ３０６で流水センサ３９ｂがオンとなったときにはステップＳ３１６に進む。
【００３２】
ステップＳ３０７では、記憶モードの動作によって作成された湯張り制御データに基づいて、浴槽水位が循環路３６の戻り管３８の戻り口よりも下側となるようにＸリットルの注湯が行われる。そして、ステップＳ３０８でのポンプ３８ｂの駆動と、ステップＳ３０９での流水センサ３９ｂのオフ確認が順次行われ、流水センサ３９ｂがオフのときには、ステップＳ３１０に進む。なお、流水センサ３９ｂがオンのときにはステップＳ３１６に進む。
ステップＳ３１０では、前記湯張り条件データ（Ｐ−Ｑ特性データ）に基づいて浴槽水位が戻り管３８の戻り口より少し上側の水位となるようなＹリットルが求められ、Ｙリットルの注湯（パージ注湯）が行われる。そして、この注湯後に、ステップＳ３１１で水位センサ４０による圧力検出（浴槽Ｂの水位検出）が行われる。その後、ステップＳ３１２で、ポンプ３８ｂの起動が行われ、ステップＳ３１３で、流水センサ３９ｂのオン信号が検出されたか否かが確認される。
【００３３】
そして、この実行モードでの浴槽湯水確認動作を繰り返し行って、最初に流水センサ３９ｂが流水を検知したときには、その前の水位センサ４０による検出圧力（水位検出値）Ｐ１を、ステップＳ３１４で基準水位として確定し、以下、この基準水位から指定された設定水位までの注湯および風呂の沸き上げ動作を従来と同様に行う。
なお、前記図８のステップＳ３０３，３０６，３０９で、流水センサ３９ｂがオンとなり、ステップＳ３１６に進んだ場合には、ステップＳ３１６の動作により浴槽湯水を設定温度以上に沸き上げる。
【００３４】
図５のフローに示す実行モードでは、ステップＳ５０１で、リモコンで例えば水位をＬ４に指定した後、自動スイッチがオンすると、ステップＳ５０２で、ｂリットル（１０リットル）が注湯され、ステップＳ５０３で、水位センサ４０が圧力検出をする。次に、ステップＳ５０４で、水位センサ４０の検出値Ｐ１が、所定値ａより大きい（Ｐ１＞ａ）と、ステップＳ５０５で、設定水位になるまで必要な水量［ｋ（Ｌ４−ａ１）リットル］を演算し、リモコン設定水位Ｌ４になるまで注湯する。ここで、ａ１は検出値Ｐ１時の浴槽の水位をいう。
【００３５】
所定値ａより大きくない（Ｐ１＜ａ）と、ステップＳ５０６で、水量［ｋ（Ｌ４−ａ）リットル］が注湯される。注湯しても必ず、浴槽水位はＬ４以下となるので、浴槽Ｂから湯水があふれることはない。注湯後、ステップＳ５０４に戻る。
ステップＳ５０５で、必要な水量が注湯された後に、図９のステップＳ１１１に移行する。したがって、装置と浴槽Ｂが所定の相対位置関係にある場合には、図５のフローにしたがって実行モードが行われ、図８の循環口を特定する追焚流水スイッチがオンするまで何回も注湯とポンプ循環を繰り返す基準水位確定動作が不要になるので、大幅な時間短縮ができる。
前記実施の形態においては、水位センサ４０を注湯管３３に装着したものを示したが、これに限定されず、水位センサ４０は、装置内であって、かつ、循環路３６および循環路３６に接続する管であれば、どのような場所に設置してもよい。
【００３６】
【発明の効果】
本発明に係る風呂給湯装置によれば、水位センサを装置内の循環路または該循環路に通じる接続路に配設したので、水位センサから装置本体へのコードの引き回しがなく、コードへの水漏れや施工時のコードの断線の心配がなく、装置の施工作業が簡単になり、また、風呂給湯装置と浴槽とが所定の相対位置関係にある場合には、水位センサの検出値と浴槽の水位との関係が一義的に決められるので、試運転時の循環ホースの潰れに起因する異常を発見することができ、また、浴槽の水位を簡易に検出することができ、実行モードでの大幅な時間短縮ができ、使い勝手を良くすることができる。
【図面の簡単な説明】
【図１】本発明の一実施の形態に係る風呂給湯装置の概念図である。
【図２】本発明の一実施の形態に係る風呂給湯装置の装着状態を示す斜視図である。
【図３】浴槽の設置場所を示す斜視図である。
【図４】同じく、浴槽の設置場所を示す断面図である。
【図５】本発明の一実施の形態に係る風呂給湯装置において、風呂給湯装置と浴槽とが所定の位置関係にある場合の実行モードに係るフロー図である。
【図６】同じく、風呂給湯装置の記憶モードに係るＰ−Ｑ特性データである。
【図７】同じく、風呂給湯装置の概念図である。
【図８】風呂給湯装置と浴槽とが所定の位置関係にない場合の実行モードのフロー図である。
【図９】記憶モードに係るフロー図である。
【符号の説明】
Ｂ…浴槽
Ｈ…取付孔
１０…風呂給湯装置
２０…給湯部
２１…共用バーナ
２５…給湯用の熱交換器
２６…給水管
２８…給湯配管
３０…風呂追焚き部
３３…風呂への注湯管
３３ａ…注湯弁
３５…風呂用の熱交換器
３６…循環路
３７…往管
３７ａ…吐出口
３８…追い焚き戻り管
３８ａ…吸水口
３８ｂ…ポンプ
３９ａ…風呂温度検知器
３９ｂ…流水センサ
４０…水位センサ
５０…循環ホース
５５…リモートコントローラ
【図１】
0003925569.tif 000002
【図２】
0003925569.tif 000003
【図３】
0003925569.tif 000004
【図４】
0003925569.tif 000005
【図５】
0003925569.tif 000006
【図６】
0003925569.tif 000007
【図７】
0003925569.tif 000008
【図８】
0003925569.tif 000009
【図９】
0003925569.tif 000010